(57)【要約】【課題】発光体の位置決めを容易に行うことのできるドアポケット用照明装置及びその製造方法を提供する。【解決手段】車両用ドアトリム１２のドアポケット１４の内部を照明するためのドアポケット用照明装置１０は、長尺状の発光体１６と、発光体１６に電気を供給するためのハーネス１８を備え、ハーネス１８の一方の端部１８ａは発光体１６に接続されており、ハーネス１８の他方の端部１８ｂはドアポケット１４の内壁に形成された貫通孔２０に挿通されてドアトリム１２の裏側に導出されており、貫通孔２０をドアポケット１４の内側から覆うカバー部材２２を備えている。カバー部材２２には、発光体１６をドアポケット１４の内壁に取り付ける際において、発光体１６をドアポケット１４の底壁１４ｃに対して略平行となるように位置決めするための切欠部４０ａ、４０ｂが形成されている。【選択図】図１
2010163120.tif 000002
【特許請求の範囲】
【請求項１】
車両用ドアトリムのドアポケットの内部を照明するためのドアポケット用照明装置であって、
前記ドアポケットの内壁に取り付けられる長尺状の発光体と、前記発光体に電気を供給するためのハーネスを備え、
前記ハーネスの一方の端部は、前記発光体に接続されており、前記ハーネスの他方の端部は、前記ドアポケットの内壁に形成された貫通孔に挿通されて前記ドアトリムの裏側に導出されており、
前記貫通孔を前記ドアポケットの内側から覆うカバー部材を備えており、
前記カバー部材には、前記発光体を前記ドアポケットの内壁に取り付ける際において、前記発光体を前記ドアポケットの底壁に対して略平行となるように位置決めするための保持部が形成されていることを特徴とするドアポケット用照明装置。
【請求項２】
請求項１に記載のドアポケット用照明装置であって、
前記発光体は、前記ドアポケットの車室内側の内壁に取り付けられていることを特徴とするドアポケット用照明装置。
【請求項３】
請求項１または請求項２に記載のドアポケット用照明装置であって、
前記保持部は、前記カバー部材を切り欠くことによって形成された切欠部であることを特徴とするドアポケット用照明装置。
【請求項４】
車両用ドアトリムのドアポケットの内壁に取り付けられる長尺状の発光体と、前記発光体に電気を供給するためのハーネスを備えており、前記ハーネスの一方の端部は、前記発光体に接続されており、前記ハーネスの他方の端部は、前記ドアポケットの内壁に形成された貫通孔に挿通されて前記ドアトリムの裏側に導出されており、前記貫通孔を前記ドアポケットの内側から覆うカバー部材を備えているドアポケット用照明装置の製造方法であって、
前記発光体を前記ドアポケットの内壁に取り付ける際において、前記カバー部材に形成された保持部によって前記発光体を前記ドアポケットの底壁に対して略平行となるように位置決めすることを特徴とするドアポケット用照明装置の製造方法。
【請求項５】
請求項４に記載のドアポケット用照明装置の製造方法であって、
前記発光体を、前記ドアポケットの車室内側の内壁に取り付けることを特徴とするドアポケット用照明装置の製造方法。
【請求項６】
請求項４または請求項５に記載のドアポケット用照明装置の製造方法であって、
前記保持部は、前記カバー部材を切り欠くことによって形成された切欠部であることを特徴とするドアポケット用照明装置の製造方法。
【発明の詳細な説明】
【技術分野】
【０００１】
本発明は、車両用ドアトリムのドアポケットの内部を照明するためのドアポケット用照明装置及びその製造方法に関する。
【背景技術】
【０００２】
車両用ドアのドアトリムには、ペットボトルや地図などの物品を収納することのできるドアポケットが設けられている。このドアポケットには、当該ドアポケットの内部を照明するためのドアポケット用照明装置が取り付けられる場合がある（特許文献１，２を参照）。
【０００３】
【特許文献１】特開２００７−３１４０７３公報
【特許文献２】特開２００６−３２１３５９公報
【発明の開示】
【発明が解決しようとする課題】
【０００４】
図９は、従来のドアポケット用照明装置１００が取り付けられている車両用ドアトリム１０２の正面図である。図１０は、図９に示す車両用ドアトリム１０２のＡ−Ａ線断面図である。
【０００５】
図９、図１０に示すように、車両用ドアトリム１０２にはドアポケット１０４が設けられており、このドアポケット１０４の内部には、ドアポケット用照明装置１００が取り付けられている。ドアポケット用照明装置１００は、長尺状の発光体１０６と、発光体１０６に電気を供給するための図示しないハーネスを備えている。発光体１０６は、ドアポケット１０４の車室内側の内壁１１０に対して両面テープによって取り付けられている。
【０００６】
図１０に示すように、ドアポケット１０４の内壁１１０の上縁部には、補強用リブ１１２が設けられている。この補強用リブ１１２は、ドアポケット１０４の内壁１１０の剛性を高めるためのものであり、ドアポケット１０４の開口部が外力を受けたときに撓み変形しないように設けられるものである。
【０００７】
ところで、従来のドアポケット用照明装置１００においては、ドアポケット１０４の車室内側の内壁１１０に発光体１０６を取り付ける際に、補強用リブ１１２に対して発光体１０６を下方から突き当てることで当該発光体１０６の位置決めを行っていた（図１０を参照）。
【０００８】
しかしながら、ドアポケット１０４の内壁１１０に補強用リブ１１２が設けられていない場合には、補強用リブ１１２に対して発光体１０６を下方から突き当てることができないために、発光体１０６の位置決めを行うことが困難であるという問題があった。
【０００９】
本発明は上記のような事情に鑑みてなされたものであって、発光体の位置決めを容易に行うことのできるドアポケット用照明装置及びその製造方法を提供することを目的とする。
【課題を解決するための手段】
【００１０】
課題を解決するための手段は、以下の発明である。
第１発明は、車両用ドアトリムのドアポケットの内部を照明するためのドアポケット用照明装置であって、前記ドアポケットの内壁に取り付けられる長尺状の発光体と、前記発光体に電気を供給するためのハーネスを備え、前記ハーネスの一方の端部は、前記発光体に接続されており、前記ハーネスの他方の端部は、前記ドアポケットの内壁に形成された貫通孔に挿通されて前記ドアトリムの裏側に導出されており、前記貫通孔を前記ドアポケットの内側から覆うカバー部材を備えており、前記カバー部材には、前記発光体を前記ドアポケットの内壁に取り付ける際において、前記発光体を前記ドアポケットの底壁に対して略平行となるように位置決めするための保持部が形成されていることを特徴とするドアポケット用照明装置である。
【００１１】
第２発明は、上記第１発明のドアポケット用照明装置であって、前記発光体は、前記ドアポケットの車室内側の内壁に取り付けられていることを特徴とするドアポケット用照明装置である。
【００１２】
第３発明は、上記第１発明または上記第２発明のドアポケット用照明装置であって、前記保持部は、前記カバー部材を切り欠くことによって形成された切欠部であることを特徴とするドアポケット用照明装置である。
【００１３】
第４発明は、車両用ドアトリムのドアポケットの内壁に取り付けられる長尺状の発光体と、前記発光体に電気を供給するためのハーネスを備えており、前記ハーネスの一方の端部は、前記発光体に接続されており、前記ハーネスの他方の端部は、前記ドアポケットの内壁に形成された貫通孔に挿通されて前記ドアトリムの裏側に導出されており、前記貫通孔を前記ドアポケットの内側から覆うカバー部材を備えているドアポケット用照明装置の製造方法であって、前記発光体を前記ドアポケットの内壁に取り付ける際において、前記カバー部材に形成された切欠部によって前記発光体を前記ドアポケットの底壁に対して略平行となるように位置決めすることを特徴とするドアポケット用照明装置の製造方法である。
【００１４】
第５発明は、上記第４発明のドアポケット用照明装置の製造方法であって、前記発光体を、前記ドアポケットの車室内側の内壁に取り付けることを特徴とするドアポケット用照明装置の製造方法である。
【００１５】
第６発明は、上記第４発明または上記第５発明のドアポケット用照明装置の製造方法であって、前記保持部は、前記カバー部材を切り欠くことによって形成された切欠部であることを特徴とするドアポケット用照明装置の製造方法である。
【００１６】
本発明によれば、ドアポケットの内壁に補強用リブが設けられていない場合であっても、ドアポケットの内壁に取り付けられる発光体の位置決めを容易に行うことが可能となる。
【００１７】
本発明によれば、ドアポケットの内壁に形成された貫通孔を、カバー部材によって車室内側から覆い隠すことが可能である。これにより、ドアポケットの内部の見栄えを向上させることが可能となる。
【００１８】
本発明によれば、貫通孔を覆うためのカバー部材を、発光体の位置決めを行うための治具として利用することができる。これにより、発光体の位置決めを行うための専用の治具を準備する必要がなくなるために、ドアポケット用照明装置をより安価に製造することが可能となる。
【００１９】
本発明によれば、発光体がドアポケットの車室内側の内壁に取り付けられる。このため、車室内に着座している乗員からは発光体が見えにくくなるために、ドアポケットの車室内側からの見栄えを向上させることができる。
【００２０】
本発明によれば、発光体がドアポケットの車室内側の内壁に取り付けられる。このため、車室内の乗員が発光体の光を直接的に目にすることがなくなるために、発光体の光によって乗員が眩しさを感じることを防止することが可能となる（いわゆる間接照明の効果が得られる）。
【発明の効果】
【００２１】
本発明によれば、発光体の位置決めを容易に行うことのできるドアポケット用照明装置及びその製造方法を提供することができる。
【発明を実施するための最良の形態】
【００２２】
以下、本発明の実施形態について図面を参照しながら詳細に説明する。
図１は、本実施形態のドアポケット用照明装置１０が取り付けられたドアトリム１２の斜視図である。図１において、左側が車両前方側であり、右側が車両後方側である。図１に示すように、ドアトリム１２の下部には、ペットボトルや地図などの各種の物品を収納することのできるドアポケット１４が設けられている。ドアポケット１４は、上方に向かって開口する開口部１５を有している。車両の乗員は、この開口部１５を介してドアポケット１４内に物品を出し入れできるようになっている。
【００２３】
図２は、図１に示すドアトリム１２を裏側（車室外側）から見た斜視図である。図２に示すように、ドアトリム１２の周縁部の裏側には、複数のクリップ１３が設けられている。一方、図示しない車両用ドアのドアインナパネルの周縁部には、複数のクリップ孔が設けられている。複数のクリップ１３をドアインナパネルの周縁部に設けられた複数のクリップ孔に差し込んで係合させることによって、ドアトリム１２をドアインナパネルに対して取り付けることが可能となっている。
【００２４】
図１、図２に示すように、ドアポケット１４の車室内側の内壁１４ａには、ドアポケット１４の内部を照明するためのドアポケット用照明装置１０が取り付けられている。ドアポケット用照明装置１０は、長尺状の発光体１６と、発光体１６に電気を供給するためのハーネス１８を備えている。ハーネス１８の一方の端部１８ａは、発光体１６に接続されている。ハーネス１８の他方の端部１８ｂは、ドアポケット１４の車両後方側の内壁に形成された略円形の貫通孔２０に挿通されてドアトリム１２の裏側に導出されている。ドアポケット１４の車両後方側の内壁には、貫通孔２０をドアポケット１４の内側から覆うためのカバー部材２２が取り付けられている。カバー部材２２は、ポリプロピレン等の樹脂材料によって形成されており、ドアポケット１４の車両後方側の内壁に対応した３次元形状を有している。
【００２５】
図３は、ドアポケット用照明装置１０を構成する発光体１６、ハーネス１８、及びカバー部材２２の斜視図である。図３に示すように、発光体１６の裏面には両面テープ２４が貼着されており、この両面テープ２４によって発光体１６をドアポケット１４の内壁に貼着することが可能となっている。また、カバー部材２２の裏面にも両面テープ２６が貼着されており、この両面テープ２６によってカバー部材２２をドアポケット１４の内壁に貼着することが可能となっている。
【００２６】
図２、図３に示すように、発光体１６に接続されていない側のハーネス１８の端部１８ｂには、コネクタ１９が設けられている。このコネクタ１９は、ドアトリム１２の裏側に配索されている図示しない車載バッテリからの電源配線に接続される。これにより、ハーネス１８を介して発光体１６に電気を供給することが可能となっている。
【００２７】
図４は、発光体１６の正面図である。図４に示すように、発光体１６は、１個ないし複数個（図４では１個）の光源３０と、光源３０から発せられた光をドアポケット１４の内部に向かって散光させるための長尺状の導光部材３２を備えている。
【００２８】
光源３０は、ＬＥＤ（発光ダイオード）、あるいは電球などによって構成されている。一方、導光部材３２は、アクリルやポリカーボネートなどの透明樹脂によって形成された板状部材によって構成されている。光源３０及び導光部材３２は、車両前後方向に延びるように長尺状に形成された樹脂製のケーシング３４の内部に格納されている。
【００２９】
図４に示すように、光源３０は、導光部材３２の一方の端面３２ａに対向するように配設されている。一方、導光部材３２の表面３２ｂには、複数本のスリット（溝）３６が発光体１６の長さ方向に並ぶように形成されている。したがって、光源３０から発せられた光は、導光部材３２の端面３２ａからその内部に進入した後に、複数本のスリット３６にぶつかることでスリット３６が形成された表面３２ｂの対向面側に向かって屈折する。すなわち、ドアポケット１４の内部に向かって屈折する。
【００３０】
図４に示すように、発光体１６は、乗員の手が近づいたこと、あるいは乗員の手が接触したことを検出することのできる静電容量式のタッチセンサ３８を備えている。タッチセンサ３８は、光源３０の点灯／消灯状態を切り換えることのできる図示しない制御基板に電気的に接続されている。これにより、車両の乗員は、タッチセンサ３８に手を近づける（あるいは接触させる）ことによって、光源３０の点灯／消灯状態を交互に切り換えることが可能となっている。
【００３１】
図３に示すように、カバー部材２２は、ドアポケット１４の車室内側の内壁１４ａに接合される第１の接合部２８ａと、ドアポケット１４の車両後方側の内壁１４ｂに接合される第２の接合部２８ｂを有している。第１の接合部２８ａ及び第２の接合部２８ｂには、両面テープ２６がそれぞれ貼着されている。
【００３２】
図３に示すように、カバー部材２２の車両前方側と車両後方側の周壁部には、切欠部４０ａ、４０ｂがそれぞれ凹状に形成されている。２つの切欠部４０ａ、４０ｂは、発光体１６を構成するケーシング３４外周よりも一回り大きい略コの字型の形状を有している。これら２箇所の切欠部４０ａ、４０ｂに対して発光体１６を架け渡すようにして嵌め込むことが可能となっている。
【００３３】
以下、ドアポケット１４の車室内側の内壁１４ａに発光体１６を取り付ける際の手順について、図５〜図８を参照しながら説明する。なお、図５〜図８では、ドアポケット１４の裏側に隠れている部分についてもすべて実線で示している。
【００３４】
まず、図５に示すように、カバー部材２２に形成された２つの切欠部４０ａ、４０ｂに発光体１６を嵌め込んだ状態とした後に、カバー部材２２及び発光体１６を、ドアポケット１４の内側に挿入する。このとき、発光体１６の裏面に貼着されている両面テープ２４の剥離紙２４ａの一部を剥がしておく。具体的には、発光体１６の前後の両端部において、発光体１６の全長の約１／５に相当する長さの分だけ、両面テープ２４の剥離紙２４ａを剥がしておく。また、コネクタ１９が設けられているハーネス１８の端部１８ｂを、ドアポケット１４の内壁に形成された略円形の貫通孔２０に挿通させる。
【００３５】
つぎに、図６に示すように、発光体１６の裏面（両面テープ２４が貼着されている側の面）を、ドアポケット１４の車室内側の内壁１４ａに対して押し当てるとともに、カバー部材２２の下端部２２ｃを、ドアポケット１４の底壁１４ｃに対して当接させる。このとき、カバー部材２２に形成された切欠部４０ａ、４０ｂとドアポケット１４の車室内側の内壁１４ａとの間で、発光体１６を保持した状態とする。
【００３６】
そして、図７に示すように、カバー部材２２を、ドアポケット１４の底壁１４ｃに沿って車両前方側から車両後方側に向かってゆっくりと移動させる。このとき、カバー部材２２をゆっくりと移動させるのと同時に、発光体１６の裏面に貼着されている両面テープ２４の剥離紙２４ａを、車両前方側から車両後方側に向かって徐々に剥がしていく。これにより、発光体１６を、ドアポケット１４の車室内側の内壁１４ａに対して正確かつ確実に取り付けることができる。
【００３７】
最後に、図８に示すように、カバー部材２２に貼着されている両面テープ２６の剥離紙２６ａを剥がし取る。これにより、カバー部材２２を、ドアポケット１４の車室内側の内壁１４ａ及び車両後方側の内壁１４ｂに対して取り付けることができる。
【００３８】
本実施形態のドアポケット用照明装置１０によれば、ドアポケット１４の車室内側の内壁１４ａに発光体１６を取り付ける際に、カバー部材２２によって発光体１６の位置決めを容易に行うことが可能となる。
【００３９】
本実施形態のドアポケット用照明装置１０によれば、ドアポケット１４の内壁に形成された貫通孔２０を、カバー部材２２によって車室内側から覆い隠すことが可能である。これにより、ドアポケット１４の内部の見栄えを向上させることが可能となる。
【００４０】
本実施形態のドアポケット用照明装置１０によれば、貫通孔２０を覆うためのカバー部材２２を、発光体１６の位置決めを行うための治具として利用することができる。これにより、発光体１６の位置決めを行うための専用の治具を準備する必要がなくなるために、ドアポケット用照明装置１０をより安価に製造することが可能となる。
【００４１】
本実施形態のドアポケット用照明装置１０によれば、発光体１６がドアポケット１４の車室内側の内壁１４ａに取り付けられるために、車室内に着座している乗員からは、発光体１６が見えにくくなる。これにより、ドアポケット１４の車室内側からの見栄えを向上させることができる。
【００４２】
本実施形態のドアポケット用照明装置１０によれば、発光体１６がドアポケット１４の車室内側の内壁１４ａに取り付けられるために、車室内の乗員が発光体１６の光を直接的に目にすることがなくなる。これにより、発光体１６の光によって乗員が眩しさを感じることを防止することが可能となる（いわゆる間接照明の効果が得られる）。
【００４３】
本実施形態のドアポケット用照明装置１０によれば、発光体１６がドアポケット１４の車室内側の内壁１４ａに取り付けられるために、発光体１６がドアポケット１４の車室外側の内壁に取り付けられる場合よりも、車両の乗員がタッチセンサ３８に手を近づけることが容易である。このため、発光体１６の点灯／消灯を切り換える操作が極めてやりやすい。
【００４４】
本実施形態のドアポケット用照明装置１０の製造方法によれば、カバー部材２２をドアポケット１４の底壁１４ｃに沿って車両前方側から車両後方側に向かって移動させることによって、発光体１６をドアポケット１４の底壁１４ｃに対して略平行になるように位置決めすることが可能である。
【００４５】
本実施形態のドアポケット用照明装置１０の製造方法によれば、発光体１６をドアポケット１４の車室内側の内壁１４ａに取り付ける際には、カバー部材２２を、車両前方側から車両後方側に向かってゆっくりと移動させる。このとき、発光体１６の裏面に貼着されている両面テープ２６の剥離紙２６ａを、車両前方側から車両後方側に向かって徐々に剥がしていく。このため、両面テープ２６の剥離紙２６ａを一度に剥がしてしまう場合よりも、発光体１６の位置決めを正確かつ確実に行うことが可能である。
【００４６】
＜他の実施形態＞
本発明は上記実施形態に限定されるものではなく、例えば次のような実施形態も本発明の技術的範囲に含まれ、さらに、下記以外にも要旨を逸脱しない範囲内で種々変更して実施することができる。
（１）上記実施形態では、発光体１６がドアポケット１４の車室内側の内壁１４ａに取り付けられる例を示したが、発光体１６がドアポケット１４の車室外側の内壁に取り付けられてもよい。
（２）上記実施形態では、カバー部材２２に２つの切欠部４０ａ、４０ｂが形成されている例を示したが、カバー部材２２に形成される切欠部は１つでもよい。
（３）上記実施形態では、ドアポケット１４の開口部１５に蓋が設けられていない例を示したが、ドアポケット１４の開口部１５に蓋が設けられていてもよい。
（４）上記実施形態では、発光体１６及びカバー部材２２を両面テープ２４、２６によって取り付ける例を示したが、両面テープ以外にも、例えば、接着剤やビス、クリップなどを用いて取り付けてもよい。
【図面の簡単な説明】
【００４７】
【図１】ドアポケット用照明装置が取り付けられたドアトリムの斜視図である。
【図２】図１に示すドアトリムを裏側（車室外側）から見た斜視図である。
【図３】ドアポケット用照明装置を構成する発光体、ハーネス、及びカバー部材の斜視図である。
【図４】発光体の正面図である。
【図５】ドアポケットの内壁に発光体を取り付ける際の手順を説明するための説明図である。
【図６】ドアポケットの内壁に発光体を取り付ける際の手順を説明するための説明図である。
【図７】ドアポケットの内壁に発光体を取り付ける際の手順を説明するための説明図である。
【図８】ドアポケットの内壁に発光体を取り付ける際の手順を説明するための説明図である。
【図９】従来のドアポケット用照明装置が取り付けられている車両用ドアトリムの正面図である。
【図１０】図９に示す車両用ドアトリムのＡ−Ａ線断面図である。
【符号の説明】
【００４８】
１０…ドアポケット用照明装置
１２…ドアトリム
１４…ドアポケット
１６…発光体
１８…ハーネス
２０…貫通孔
２２…カバー部材
４０ａ、４０ｂ…切欠部
【図１】
2010163120.tif 000003
【図２】
2010163120.tif 000004
【図３】
2010163120.tif 000005
【図４】
2010163120.tif 000006
【図５】
2010163120.tif 000007
【図６】
2010163120.tif 000008
【図７】
2010163120.tif 000009
【図８】
2010163120.tif 000010
【図９】
2010163120.tif 000011
【図１０】
2010163120.tif 000012